(57)【要約】  【課題】ワイヤレスボイスアダプタの使用形態の拡張を図る。  【解決手段】ブルートゥース通信部１９を搭載し、携帯電話機１０に接続されて外部の装置とブルートゥース無線通信を行うワイヤレスボイスアダプタ１１において、本体１２にＵＳＢインターフェースコネクタ（ＵＳＢポート）１５を備え、ＵＳＢフラッシュメモリなどの外部機器を接続してワイヤレスボイスアダプタ１１のデバイスとして使用する。【選択図】図５
2006140964.tif 000002
【特許請求の範囲】
【請求項１】
ブルートゥース送受信機を搭載し、携帯電話機に接続されて外部の装置とブルートゥース無線通信を行うワイヤレスボイスアダプタにおいて、
本体にＵＳＢインターフェースコネクタを備えたことを特徴とするワイヤレスボイスアダプタ。
【請求項２】
上記ＵＳＢインターフェースコネクタにＵＳＢフラッシュメモリを接続し、該ＵＳＢフラッシュメモリに記録されている音楽データを前記ブルートゥース送受信機を介して、ブルートゥース対応の再生装置へ送信可能に形成された請求項１記載のワイヤレスボイスアダプタ。
【請求項３】
上記本体にＭＰ３再生機能を備えた請求項１または２記載のワイヤレスボイスアダプタ。
【請求項４】
上記本体に音楽データをケーブル出力するための外部出力コネクタを備えた請求項１，２または３記載のワイヤレスボイスアダプタ。
【発明の詳細な説明】
【技術分野】
【０００１】
本発明は携帯電話機に接続されて外部機器とブルートゥース無線通信を行うワイヤレスボイスアダプタに関するものであり、特に、リムーバブルメモリを接続できるようにしたワイヤレスボイスアダプタに関するものである。
【背景技術】
【０００２】
従来、携帯電話機にブルートゥース通信部を内蔵し、または、ブルートゥース通信部を備えた別体の通信機を携帯電話機に接続して、マイクロホンとスピーカとブルートゥース通信部を備えたハンズフリー装置と前記携帯電話機との間でブルートゥース無線通信を行い、ハンズフリー装置のマイクロホンに入力された送話音声が他の携帯電話機に送信されるとともに、他の携帯電話機から受信した受話音声がハンズフリー装置のスピーカから出力されてハンズフリー通話が行えるように構成した通話システムが知られている（例えば、特許文献１参照）。
【特許文献１】特開２００２−１７１３３６号公報
【発明の開示】
【発明が解決しようとする課題】
【０００３】
特許文献１記載の発明は、ブルートゥース通信部を備えた別体の通信機（ワイヤレスボイスアダプタ）を携帯電話機に接続してハンズフリー通話が行えるため、複数の携帯電話機で一つのワイヤレスボイスアダプタを交替で使用することができる。しかし、当該ワイヤレスボイスアダプタは他のインターフェースを備えていないため、ハンズフリー通信以外の他の外部装置とブルートゥース無線通信を利用して使用形態の拡張を図ることができない。
【０００４】
そこで、ワイヤレスボイスアダプタの使用形態の拡張を図るために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、ブルートゥース送受信機を搭載し、携帯電話機に接続されて外部の装置とブルートゥース無線通信を行うワイヤレスボイスアダプタにおいて、本体にＵＳＢインターフェースコネクタを備えたことを特徴とするワイヤレスボイスアダプタを提供する。
【０００６】
この構成によれば、ワイヤレスボイスアダプタの本体に備えたＵＳＢインターフェースコネクタにＵＳＢ接続可能な機器を接続すれば、この機器がワイヤレスボイスアダプタのデバイスとして使用される。
【０００７】
請求項２記載の発明は、上記ＵＳＢインターフェースコネクタにＵＳＢフラッシュメモリを接続し、該ＵＳＢフラッシュメモリに記録されている音楽データを前記ブルートゥース送受信機を介して、ブルートゥース対応の再生装置へ送信可能に形成されたワイヤレスボイスアダプタを提供する。
【０００８】
この構成によれば、本体に備えたＵＳＢインターフェースコネクタにＵＳＢフラッシュメモリを接続すれば、このＵＳＢフラッシュメモリがワイヤレスボイスアダプタの外部メモリとして使用される。そして、該ＵＳＢフラッシュメモリに予め音楽データを記録しておくことにより、この音楽データがワイヤレスボイスアダプタに読み込まれ、ブルートゥース送受信機を介してブルートゥース対応の再生装置へ送信され、再生装置で音楽が再生される。
【０００９】
請求項３記載の発明は、上記本体にＭＰ３再生機能を備えたワイヤレスボイスアダプタを提供する。
【００１０】
この構成によれば、ワイヤレスボイスアダプタの本体に備えたＭＰ３再生機能により、所定の規格で圧縮されたＭＰ３データがアナログ信号にデコードされ、デコードされた音楽データがワイヤレスボイスアダプタに読み込まれ、ブルートゥース送受信機を介してブルートゥース対応の再生装置へ送信され、アナログ信号に変換した音楽データが再生装置で再生される。
【００１１】
請求項４記載の発明は、上記本体に音楽データをケーブル出力するための外部出力コネクタを備えたワイヤレスボイスアダプタを提供する。
【００１２】
この構成によれば、ワイヤレスボイスアダプタの本体に備えた外部出力コネクタにケーブルを接続すれば、音楽データが再生装置へケーブル出力されて、オーディオ装置やヘッドホンなどで音楽が再生される。
【発明の効果】
【００１３】
請求項１記載の発明は、ワイヤレスボイスアダプタの本体にＵＳＢインターフェースコネクタを備えたことにより、ＵＳＢ接続可能な種々の機器を接続することができ、これらの機器をワイヤレスボイスアダプタのデバイスとして使用することができる。このように、携帯電話機を接続せずにワイヤレスボイスアダプタ単独での使用が可能となり、ワイヤレスボイスアダプタの使用形態の拡張を図ることができる。
【００１４】
請求項２記載の発明は、上記ＵＳＢインターフェースコネクタに予め音楽データが記録されているＵＳＢフラッシュメモリを接続し、この音楽データをワイヤレスボイスアダプタからブルートゥース無線通信で再生装置へ送信することにより、請求項１記載の発明の効果に加えて、前記ＵＳＢフラッシュメモリの音楽データをオーディオ装置やワイヤレススピーカなどで再生することができる。
【００１５】
請求項３記載の発明は、ワイヤレスボイスアダプタの本体に備えたＭＰ３再生機能により、所定の規格で圧縮されたＭＰ３データをアナログ信号にデコードし、ブルートゥース無線通信で再生装置へ送信することにより、請求項１または２記載の発明の効果に加えて、アナログ信号に変換された音楽データをオーディオ装置やワイヤレススピーカなどで再生することができる。
【００１６】
請求項４記載の発明は、ワイヤレスボイスアダプタの本体に備えた外部出力コネクタにケーブルを接続することにより、請求項１，２または３記載の発明の効果に加えて、音楽データが再生装置へケーブル出力されて、オーディオ装置やヘッドホンなどがブルートゥース未対応であっても前記ＵＳＢフラッシュメモリの音楽データを再生することができる。
【発明を実施するための最良の形態】
【００１７】
以下、本発明に係るワイヤレスボイスアダプタについて、好適な実施例をあげて説明する。ワイヤレスボイスアダプタの使用形態の拡張を図るという目的を、ブルートゥース送受信機を搭載し、携帯電話機に接続されて外部の装置とブルートゥース無線通信を行うワイヤレスボイスアダプタにおいて、本体にＵＳＢインターフェースコネクタを備えたことにより実現した。
【実施例】
【００１８】
図１はワイヤレスボイスアダプタの一般的な使用形態を示し、携帯電話機１０の充電ケーブル接続部１０ａにワイヤレスボイスアダプタ１１を直接差し込んで接続し、携帯電話機１０とハンズフリー装置（図示せず）との間でブルートゥース無線通信を行い、ハンズフリー装置のマイクロホンに入力された送話音声が他の携帯電話機に送信されるとともに、他の携帯電話機から受信した受話音声がハンズフリー装置のスピーカ（またはイヤホン）から出力されてハンズフリー通話が行えるように構成されている。
【００１９】
図２乃至図５は本発明に係るワイヤレスボイスアダプタ１１を示し、図２は正面図、図３は右側面、図４は背面図、図５は左側面図である。ワイヤレスボイスアダプタの本体１２の上面部にプラグ１３が突設されている。該プラグ１３は上面が開口され、その内部に所定数の端子（図示せず）が設けられ、前記携帯電話機１０の充電ケーブル接続部へ正常な方向のときのみ挿入できるように、プラグ１３の正面及び背面に夫々左右非対称の溝部１３ａと突条部１３ｂが形成されている。そして、該プラグ１３を前記携帯電話機１０の充電ケーブル接続部へ挿入して双方の端子同士を接続することにより、携帯電話機１０とワイヤレスボイスアダプタ１１との間で信号の伝送が可能となる。
【００２０】
前記本体１２の正面にはプッシュボタン１４ａ，１４ｂと液晶表示部（ＬＣＤ）１５が設けられており、各々のプッシュボタン１４ａ，１４ｂは予め設定された回数及び組み合わせによるプッシュ操作で、例えば電源のオンオフ、ブルートゥース無線通信の送受信開始終了、リンクキーの設定や変更などが実行される。また、液晶表示部１５にはブルートゥース無線通信のリンクキーが表示される。ブルートゥース無線通信を行う際にリンクキーによって機器接続の認証を行うことにより、セキュリティの向上を図るように構成されている。
【００２１】
このように、本体１２にプッシュボタン１４ａ，１４ｂと液晶表示部１５を設けたことにより、ハンズフリー装置などの外部装置だけではなく、当該ワイヤレスボイスアダプタ１１でもブルートゥース無線通信のリンクキーの設定や変更が可能となり、利便性が著しく向上する。
【００２２】
前記本体１２の右側面部にはＵＳＢインターフェースコネクタ（以下ＵＳＢポートという）１６が設けられ、後述するように、該ＵＳＢポート１６にＵＳＢケーブルなどを介してＵＳＢ接続可能な機器を接続すれば、接続された機器がワイヤレスボイスアダプタ１１のデバイスとして使用できるように形成されている。
【００２３】
前記本体１２の背面部には凹部１７が設けられ、この凹部１７の下部位置にＵＳＢプラグ１８の基端部１８ａを枢着してあり、図示例では、該ＵＳＢプラグ１８が折りたたまれて、本体１２の凹部１７内に収納された状態である。また、前記本体１２の背面部に充電入力部１９が設けられている。該充電入力部１９は、ＡＣアダプタ（図示せず）を接続するための一対の挿入孔から構成されるが、図示するように、夫々の挿入孔の形状を異にしてアダプタの誤挿入を防止してある。後述するように、該充電入力部１９に自動車のシガーソケット用の電源アダプタを接続することもできる。
【００２４】
ここで、ＵＳＢプラグ１８の先端部を外側へ引くことにより、図５の矢印で示すように、ＵＳＢプラグ１８が回動して引き起こされるように形成してある。また、前記本体１２の左側面部に音楽データをケーブル出力するための外部出力コネクタ２０が設けられ、この外部出力コネクタ２０にオーディオケーブルを介して再生装置を接続できるように構成されている。
【００２５】
ここで、前記本体１２の背面部の凹部１７に格納されているＵＳＢプラグ１８の先端部を引き起こして回動すれば、図６及び図７に示すように、前記ＵＳＢプラグ１８が凹部１７から本体１２の外部へ突出し、デテント機構（図示せず）により、ワイヤレスボイスアダプタ１１の本体１２の下方へ突出した状態で固定される。後述するように、ワイヤレスボイスアダプタ１１をコンピュータのＵＳＢポートに接続する際には、図６及び図７に示すように、前記ＵＳＢプラグ１８を突出状態にし、一方、ワイヤレスボイスアダプタ１１をＵＳＢポートに接続しないで使用する場合或いは運搬する場合は、図４及び図５に示すように、前記ＵＳＢプラグ１８を本体１２に設けた凹部１７内に格納すれば、突起物がなくなって極めてコンパクトになる。
【００２６】
図８はワイヤレスボイスアダプタ１１のブロック図であり、本体１２に突設されたプラグ１３を介して携帯電話機１０が接続され、当該携帯電話機１０とハンズフリー装置（図示せず）との間でブルートゥース無線通信を行う場合は、先ずプッシュボタン１４ａ，１４ｂの操作によりブルートゥース無線通信をオンにすると、液晶表示部１５にリンクキーが表示されてブルートゥース無線通信開始の認証が行われる。前述したように、各々のプッシュボタン１４ａ，１４ｂは予め設定された回数及び組み合わせによるプッシュ操作で、ハンズフリー装置などの外部装置だけではなく、当該ワイヤレスボイスアダプタ１１でもブルートゥース無線通信のリンクキーの設定や変更が可能である。
【００２７】
他の携帯電話機から受信した受話音声信号はプラグ１３からＩ／Ｏ（入出力装置）２１を経て制御部２２に入力され、この受話音声信号が制御部２２からインターフェース２３を介してブルートゥース通信部２４へ出力され、該ブルートゥース通信部２４からブルートゥース無線通信でハンズフリー装置へ送信される。一方、ハンズフリー装置のマイクロホンに入力された送話音声信号はブルートゥース無線通信で送信され、前記ブルートゥース通信部２４で受信されるとインターフェース２３を介して制御部２２へ入力され、Ｉ／Ｏ２１を経て当該携帯電話機１０から他の携帯電話機へ送られる。
【００２８】
ここで、当該ワイヤレスボイスアダプタ１１は、携帯電話機１０に接続してハンズフリー装置への無線通信手段として使用するだけではなく、ワイヤレスボイスアダプタ１１を単独で使用することができる。前記ＵＳＢポート１６にＵＳＢ機器が接続されると、制御部２２によりＵＳＢポート１６に接続された外部機器が認識されて、後述するように、インターフェース２３を介して制御部２２と信号の入出力が行われる。また、ＵＳＢプラグ１８をコンピュータなどの外部装置のＵＳＢポートへ接続すれば、ブルートゥース無線通信をはじめとして記憶装置など当該ワイヤレスボイスアダプタ１１が備えている各種機能を、外部装置のデバイスとして使用することができる。
【００２９】
前記充電入力部１９に、ＡＣアダプタ（図示せず）を接続することにより、ＡＣ１００Ｖの交流電力が所定電圧の直流電力に変換されて本体１２内の電子回路に供給され、或いは、本体１２に内蔵されているバッテリ２５に充電される。通常使用時は、ＡＣアダプタが接続されていない場合が多く、バッテリ２５に蓄えられている直流電力にてブルートゥース無線通信をはじめとする各機能が動作する。また、ＡＣアダプタだけではなく、後述するように、自動車のシガーソケット用の電源アダプタを前記充電入力部１９に接続することにより、自動車のシガーソケットから直流電力の供給を受けることもできる。
【００３０】
そして、前記外部出力コネクタ２０にオーディオケーブルを介して再生装置を接続すれば、後述するように、インターフェース２３を介して制御部２２と信号の入出力が行われる。更に、ワイヤレスボイスアダプタ１１にはＭＰ３再生装置２６が設けられ、後述するように、制御部２２の制御によりワイヤレスボイスアダプタ１１の外部から読み込まれたＭＰ３データが、該ＭＰ３再生装置２６にてアナログ信号にデコードされる。また、インターフェース２３に超小型のハードディスクドライブ（ＨＤＤ）２７を接続すれば、記憶装置としても使用することができる。
【００３１】
尚、記憶装置としては、前記ハードディスクドライブ２７に代えて、フラッシュメモリ（図示せず）を搭載することもできる。フラッシュメモリの場合は、記憶容量がハードディスクドライブには及ばないものの、機械的動作部分がないため、機械的故障の発生が皆無であり、軽量且つコンパクト化に寄与できる。
【００３２】
図９に示すように、前記ＵＳＢポート１６にＵＳＢフラッシュメモリ２８のプラグ２８ａを挿入して接続すれば、該ＵＳＢフラッシュメモリ２８をワイヤレスボイスアダプタ１１の外部メモリとして使用することができる。該ＵＳＢフラッシュメモリ２８に予め音楽データを記憶させておくことにより、この音楽データがワイヤレスボイスアダプタ１１の制御部２２に読み込まれ、ブルートゥース通信部２４から無線通信にてブルートゥース対応の再生装置へ送信される。
【００３３】
例えば、図１０に示すように、車載オーディオ装置３０へブルートゥース無線通信で音楽データを送信すれば、該車載オーディオ装置３０にて前記ＵＳＢフラッシュメモリ２８の音楽データを再生することができる。また、同図に示すように、ブルートゥース対応のワイヤレススピーカ３１へブルートゥース無線通信で音楽データを送信すれば、該ワイヤレススピーカ３１にて音楽データを再生することができる。
【００３４】
尚、前記ＵＳＢフラッシュメモリ２８にＭＰ３データが記憶されている場合は、前記本体１２内に設けられた制御部２２の制御により、ＭＰ３データがＵＳＢポート１６から前記ＭＰ３再生装置２６へ入力されてアナログ信号にデコードされる。そして、前述と同様に、ブルートゥース無線通信で音楽データを送信すれば、アナログ信号に変換された音楽データを車載オーディオ装置３０やワイヤレススピーカ３１で再生することができる。
【００３５】
更に、図１１に示すように、前記外部出力コネクタ２０にオーディオケーブル３２を介してオーディオ装置３３を接続すれば、前記ＵＳＢフラッシュメモリ２８に記憶されている音楽データが制御部２２の制御により、外部出力コネクタ２０からケーブル出力されて、オーディオ装置３３で音楽が再生される。また、前記外部出力コネクタ２０にヘッドホン３４を接続すれば、該ヘッドホン３４で音楽を再生することもできる。
【００３６】
尚、本実施の形態では、前記ＵＳＢポート１６に音楽データを記憶したＵＳＢフラッシュメモリ２８を接続した例を説明したが、ＵＳＢ接続可能な機器であれば他のデバイスを接続して使用することも可能である。図示は省略するが、例えばメモリーカード用コネクタを前記ＵＳＢポート１６に接続し、該コネクタに挿入されたフラッシュメモリカードのデータをワイヤレスボイスアダプタ１１に読み込むこともできる。
【００３７】
図１２は当該ワイヤレスボイスアダプタ１１をコンピュータ４０に接続する使用形態を示し、図６及び図７にて説明したように、前記ワイヤレスボイスアダプタ１１のＵＳＢプラグ１８を凹部１７から引き起こして突出させた状態にし、図１２に示すコンピュータ４０に設けられているＵＳＢポート４１にワイヤレスボイスアダプタ１１のＵＳＢプラグ１８を差し込んで接続すれば、コンピュータ４０がＵＳＢポート４１に接続された当該ワイヤレスボイスアダプタ１１をＵＳＢ機器として自動的に認識して、コンピュータ４０のデバイスとして使用できる。
【００３８】
従って、ブルートゥース送受信機を搭載していないコンピュータであっても、ＵＳＢポート４１に当該ワイヤレスボイスアダプタ１１を接続すれば、極めて簡便に外部の装置とブルートゥース無線通信を行うことが可能となる。また、当該ワイヤレスボイスアダプタ１１に内蔵されているハードディスクドライブ２７をコンピュータ４０の外部記憶装置として使用すれば、簡単に着脱可能なリムーバブルディスクとして使用することができる。
【００３９】
例えば、コンピュータ４０に記憶されている音楽データをワイヤレスボイスアダプタ１１へ伝送すれば、ワイヤレスボイスアダプタ１１に設けられたブルートゥース通信部２４から音楽データが無線通信により外部へ送信され、ワイヤレスでブルートゥース対応の再生装置で音楽を再生することが可能となる。また、ワイヤレスボイスアダプタ１１に搭載されているハードディスクドライブ２７に音楽データを記憶させておき、該ワイヤレスボイスアダプタ１１をこのコンピュータ４０から取り外した後に、他のコンピュータや再生装置などのＵＳＢポートへ接続して再生することもでき、リムーバブルメモリとしても使用可能である。
【００４０】
また、当該ワイヤレスボイスアダプタ１１をコンピュータ４０のＵＳＢポート４１へ接続する際に、ワイヤレスＵＳＢドングルとして機能させることも可能であり、然るときは、該ワイヤレスボイスアダプタ１１を介してワイヤレスソリューションを簡単に追加構築することができ、不正コピーの防止にも寄与できる。
【００４１】
ここで、前述したように、ワイヤレスボイスアダプタ１１の通常使用時は、バッテリ２５に蓄えられている直流電力にてブルートゥース無線通信をはじめとする各機能が動作するが、図４に示した充電入力部１９に、自動車のシガーソケット用の電源アダプタを接続して、自動車のシガーソケットから直流電力の供給を受けることもできる。
【００４２】
例えば、図１３に示すように、前記充電入力部１９にプラグアダプタ４５を挿入する。該プラグアダプタ４５は本体４５ａの一側面に一対のプラグ４５ｂが突設されており、挿入孔の形状を異にした充電入力部１８に挿入できるように、このプラグ４５ｂは充電入力部１８に対応して形状を異にして形成されている。また、本体４５ａの他側面にも一対のプラグ４５ｃが突設されている。このプラグ４５ｃの形状は後述する電源アダプタに挿入できるように形成されており、図１４に示すように、夫々のプラグの形状を異にしてアダプタの誤挿入を防止してある。
【００４３】
そして、ワイヤレスボイスアダプタ１１の本体１２に設けられた充電入力部１９にプラグアダプタ４５を挿入した後に、図１５に示すように、自動車のシガーソケット用電源アダプタ４６の接続部４６ａに前記プラグアダプタ４５のプラグ４５ｃを挿入し、図１６に示すように、電源アダプタ４６のプラグ４６ｂを自動車のシガーソケット（図示せず）へ挿入する。
【００４４】
斯くして、自動車のバッテリに蓄えられている直流電力が、シガーソケットから電源アダプタ４６及びプラグアダプタ４５を介してワイヤレスボイスアダプタ１１の充電入力部１９に入力され、ワイヤレスボイスアダプタ１１の電子回路へ電力が供給されてブルートゥース無線通信をはじめとして、前述した各機能が動作可能な状態となる。また、ワイヤレスボイスアダプタ１１の本体１２に内蔵されているバッテリ２５の電圧が低下している場合は、シガーソケットから供給される直流電力によって内蔵のバッテリ２５が充電される。
【００４５】
尚、本実施の形態では、ワイヤレスボイスアダプタ１１の充電入力部１９にプラグアダプタ４５を挿入して電源アダプタ４６に接続し、然る後に、電源アダプタ４６をシガーソケットへ挿入する順番に従って説明したが、先に、シガーソケットへ電源アダプタ４６を挿入しておき、逆の手順でワイヤレスボイスアダプタ１１を装着してもよく、更に、先に、プラグアダプタ４５と電源アダプタ４６とを接続するなど、各部品を装着する順番は限定されない。
【００４６】
また、ワイヤレスボイスアダプタ１１と電源アダプタ４６との間にプラグアダプタ４５を介在させて接続する構成ではなく、ワイヤレスボイスアダプタ１１の本体に直接プラグ（図示せず）を突設しておき、該プラグを電源アダプタ４６の接続部４６ａへ挿入して接続する構成であってもよい。然るときは、ワイヤレスボイスアダプタ１１の通常使用時に、本体１２からプラグが突出した状態となるが、部品点数の低減によりコストダウンを図ることができる。
【００４７】
図１７に示すように、シガーソケットに挿入した電源アダプタ４６にプラグアダプタ４５を介してワイヤレスボイスアダプタ１１を接続した状態で、ワイヤレスボイスアダプタ１１のプラグ１３に携帯電話機１０の充電ケーブル接続部１０ａを挿入すれば、自動車のシートなどに仮置きした状態に比べて、携帯電話機１０及びワイヤレスボイスアダプタ１１の双方が安定した状態に保持されて、ブルートゥース無線通信によってハンズフリー通話を安定して行うことが可能となる。
【００４８】
また、斯かる状態で、携帯電話機１０に内蔵されているバッテリの電圧が低下した場合は、シガーソケットから電源アダプタ４６を介してワイヤレスボイスアダプタ１１に供給される電力を携帯電話機１０へ転送し、携帯電話機１０の充電を行うことができる。従って、携帯電話機１０の充電に際して、その都度、ワイヤレスボイスアダプタ１１を取り外して携帯電話用の充電器に接続する手間が省け、しかも、携帯電話機専用の充電器の持ち運びが不要で且つ充電作業も簡便となる。
【００４９】
尚、本発明は、本発明の精神を逸脱しない限り種々の改変を為すことができ、そして、本発明が該改変されたものに及ぶことは当然である。
【図面の簡単な説明】
【００５０】
【図１】ワイヤレスボイスアダプタの一般的な使用形態を示す正面図。
【図２】ワイヤレスボイスアダプタの正面図。
【図３】ワイヤレスボイスアダプタの右側面図。
【図４】ワイヤレスボイスアダプタの背面図。
【図５】ワイヤレスボイスアダプタの左側面図。
【図６】本体からＵＳＢプラグが突出状態のワイヤレスボイスアダプタの背面図。
【図７】本体からＵＳＢプラグが突出状態のワイヤレスボイスアダプタの左側面図。
【図８】ワイヤレスボイスアダプタのブロック図。
【図９】ワイヤレスボイスアダプタのＵＳＢポートにＵＳＢフラッシュメモリを接続する使用形態を示す正面図。
【図１０】ワイヤレスボイスアダプタからブルートゥース無線通信により音楽データを伝送する使用形態を示す解説図。
【図１１】ワイヤレスボイスアダプタからケーブル出力により音楽データを伝送する使用形態を示す解説図。
【図１２】ワイヤレスボイスアダプタをコンピュータのＵＳＢポートに接続する使用形態を示す斜視図。
【図１３】充電入力部にプラグアダプタを接続する状態を示すワイヤレスボイスアダプタの右側面図。
【図１４】充電入力部にプラグアダプタを接続した状態を示すワイヤレスボイスアダプタの背面図。
【図１５】プラグアダプタを介して電源アダプタに本体を接続する状態を示すワイヤレスボイスアダプタの右側面図。
【図１６】プラグアダプタを介して電源アダプタに本体を接続した使用形態を示すワイヤレスボイスアダプタの右側面図。
【図１７】図１６に示した状態で更に携帯電話機を接続した使用形態を示すワイヤレスボイスアダプタの右側面図。
【符号の説明】
【００５１】
１０  携帯電話機
１１  ワイヤレスボイスアダプタ
１２  本体
１３  プラグ
１４ａ，１４ｂ  ブッシュボタン
１５  液晶表示部（ＬＣＤ）
１６  ＵＳＢインターフェースコネクタ（ＵＳＢポート）
１７  凹部
１８  ＵＳＢプラグ
１９  充電入力部
２０  外部出力コネクタ
２１  Ｉ／Ｏ
２２  制御部
２３  インターフェース
２４  ブルートゥース通信部
２５  バッテリ
２６  ＭＰ３再生装置
２７  ハードディスクドライブ（ＨＤＤ）
【図１】
2006140964.tif 000003
【図２】
2006140964.tif 000004
【図３】
2006140964.tif 000005
【図４】
2006140964.tif 000006
【図５】
2006140964.tif 000007
【図６】
2006140964.tif 000008
【図７】
2006140964.tif 000009
【図８】
2006140964.tif 000010
【図９】
2006140964.tif 000011
【図１０】
2006140964.tif 000012
【図１１】
2006140964.tif 000013
【図１２】
2006140964.tif 000014
【図１３】
2006140964.tif 000015
【図１４】
2006140964.tif 000016
【図１５】
2006140964.tif 000017
【図１６】
2006140964.tif 000018
【図１７】
2006140964.tif 000019
【手続補正書】
【提出日】平成16年11月24日(2004.11.24)
【手続補正１】
【補正対象書類名】図面
【補正対象項目名】図８
【補正方法】変更
【補正の内容】
【図８】
2006140964.tif 000020
【手続補正２】
【補正対象書類名】図面
【補正対象項目名】図１０
【補正方法】変更
【補正の内容】
【図１０】
2006140964.tif 000021